(57)【特許請求の範囲】
【請求項１】
複数の蓄電池パックのそれぞれと電気的に接続される複数の接続器と、
前記蓄電池パックの電力を接続器を介して放電させる放電器及び前記蓄電池パックを接続器を介して充電させる充電器の少なくとも一方と、
前記接続器の識別情報を保持する情報保持器と、
前記蓄電池パックの識別情報と、前記蓄電池パックが前記情報保持器から取得した、前記蓄電池パックが接続された前記接続器の識別情報とを前記蓄電池パックから無線通信で受信する受信器と、
前記受信器により受信された、前記蓄電池パックの前記識別情報と、前記蓄電池パックが接続された前記接続器の識別情報とを記憶する記憶器と、
を備える蓄電システム。
【請求項２】
前記接続器及び前記情報保持器が前記蓄電池パックの接続ユニットとして一体化されている、
請求項１記載の蓄電システム。
【請求項３】
さらに、
前記接続器の識別情報を前記蓄電池パックに送信する第１送信器を備える、
請求項１記載の蓄電システム。
【請求項４】
前記接続器、前記情報保持器及び前記第１送信器が前記蓄電池パックの接続ユニットとして一体化されている、
請求項３記載の蓄電システム。
【請求項５】
前記情報保持器は、さらに、前記蓄電システムの識別情報を保持し、
前記受信器は、前記蓄電池パックの識別情報と、前記蓄電システムの識別情報と、前記蓄電池パックが接続された前記接続器の識別情報とを前記蓄電池パックから無線通信で受信し、
前記受信器で受信した前記蓄電システムの識別情報が、自身の識別情報と一致すると、前記記憶器に、前記蓄電池パックの識別情報と前記蓄電池パックが接続された前記接続器の識別情報とを記憶させる制御器を備える、
請求項１〜４のいずれか１項に記載の蓄電システム。
【請求項６】
さらに、
前記記憶器に記憶された、前記蓄電池パックの識別情報と、前記蓄電システムの識別情報と、前記蓄電池パックが接続された前記接続器の識別情報とをサーバ装置に送信する第２送信器を備える、
請求項５に記載の蓄電システム。
【請求項７】
複数の蓄電池パックのそれぞれと電気的に接続される複数の接続器を備える蓄電システムの蓄電方法であって、
前記蓄電池パックの識別情報と、前記蓄電池パックが接続された前記接続器の識別情報とを前記蓄電池パックから無線通信で受信し、
前記受信において受信された、前記蓄電池パックの識別情報と、前記蓄電池パックが接続された前記接続器の識別情報とを記憶する、
蓄電方法。
【発明の詳細な説明】
【技術分野】
【０００１】
本開示は、蓄電システム及び蓄電方法に関する。
【背景技術】
【０００２】
従来、蓄電池から電池情報を取得して、複数の蓄電池が接続された組電池の状態を管理する管理ユニットに、取得した電池情報を、無線通信を用いて送信する電池情報取得装置が開示されている（特許文献１参照）。
【先行技術文献】
【特許文献】
【０００３】
【特許文献１】特開２０１０−８１７１６号公報
【発明の概要】
【発明が解決しようとする課題】
【０００４】
しかしながら、上記特許文献では、更なる改善が必要とされていた。
【課題を解決するための手段】
【０００５】
本開示の一態様に係る蓄電システムは、複数の蓄電池パックのそれぞれと電気的に接続される複数の接続器と、前記蓄電池パックの電力を接続器を介して放電させる放電器及び前記蓄電池パックを接続器を介して充電させる充電器の少なくとも一方と、前記接続器の識別情報を保持する情報保持器と、前記蓄電池パックの識別情報と、前記蓄電池パックが前記情報保持器から取得した、前記蓄電池パックが接続された前記接続器の識別情報とを前記蓄電池パックから無線通信で受信する受信器と、前記受信器により受信された、前記蓄電池パックの前記識別情報と、前記蓄電池パックが接続された前記接続器の識別情報とを記憶する記憶器と、を備える。
【０００６】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラム及び記録媒体の任意な組み合わせで実現されてもよい。
【発明の効果】
【０００７】
上記態様によれば、更なる改善を実現することができる。
【図面の簡単な説明】
【０００８】
【図１】実施の形態に係る蓄電システムを備える管理システムの構成を示す概略図である。
【図２】実施の形態に係る蓄電池パックを接続した状態の蓄電システムの外観斜視図である。
【図３】実施の形態に係る蓄電池パックを取り外した状態の蓄電システムの外観斜視図である。
【図４】実施の形態に係る蓄電池パックの外観斜視図である。
【図５】実施の形態に係る蓄電システム及び蓄電池パックの機能的な構成を示すブロック図である。
【図６】実施の形態に係る蓄電システム及び蓄電池パックの処理を説明するためのフローチャートである。
【図７】実施の形態に係る蓄電システム及び蓄電池パックの間の情報の送受信の一例を説明するための図である。
【発明を実施するための形態】
【０００９】
（本発明の基礎となった知見）
本発明者は、「背景技術」の欄において記載した、電池情報取得装置に関し、以下の問題が生じることを見出した。
【００１０】
特許文献１では、蓄電池から取得した電池情報を管理ユニットに、無線通信を用いて送信する。
【００１１】
このため、電池情報取得装置に複数の蓄電池が接続されている場合には、自装置のどの接続端子に接続されている蓄電池から取得された電池情報であるかを特定できない。このため、例えば、蓄電池の電池情報から蓄電池の異常が検知されても、どの接続端子に接続されている蓄電池に異常が発生しているのかを特定できなかった。つまり、電池情報取得装置に接続されている蓄電池に対して蓄電池の電池情報に基づいた適切な対応を行なうことができなかった。
【００１２】
以上の検討を踏まえ、本発明者は、上記課題を解決するために、下記の改善策を検討した。
【００１３】
本開示の第１態様に係る蓄電システムは、複数の蓄電池パックのそれぞれと電気的に接続される複数の接続器と、前記蓄電池パックの電力を接続器を介して放電させる放電器及び前記蓄電池パックを接続器を介して充電させる充電器の少なくとも一方と、前記接続器の識別情報を保持する情報保持器と、前記蓄電池パックの識別情報と、前記蓄電池パックが前記情報保持器から取得した、前記蓄電池パックが接続された前記接続器の識別情報とを前記蓄電池パックから無線通信で受信する受信器と、前記受信器により受信された、前記蓄電池パックの前記識別情報と、前記蓄電池パックが接続された前記接続器の識別情報とを記憶する記憶器と、を備える。
【００１４】
これによれば、蓄電池パックが複数の接続器のうちのどの接続器に接続された蓄電池パックであるか否かを判定することに利用できる。このため、蓄電システムが蓄電池パックから蓄電池パックが備える蓄電池の状態に関する状態情報を取得している場合には、当該状態情報がどの接続器に接続されている蓄電池パックから取得された情報であるかを特定できる。これにより、蓄電システムに接続されている蓄電池パックに対して、当該状態情報に応じた適切な対応を行うことができる。ここで、適切な対応とは、蓄電池パックに対する充電及び放電の少なくとも一方の制御、蓄電池パックの異常検知、異常が発生した蓄電池の回収及び異常のない蓄電池への交換等が例示される。
【００１５】
また、本開示の第２態様に係る蓄電システムは、上記第１態様の蓄電システムにおいて、前記接続器及び前記情報保持器が前記蓄電池パックの接続ユニットとして一体化されていてもよい。
【００１６】
このため、接続器及び情報保持器を予め対応づけておくことができ、蓄電システムを組み立てたときに、接続器及び情報保持器の間の誤配線を抑制することができる。これにより、誤った識別情報を蓄電池パックに取得させることを低減できる。
【００１７】
また、本開示の第３態様に係る蓄電システムは、上記第１態様の蓄電システムにおいて、さらに、前記接続器の識別情報を前記蓄電池パックに送信する第１送信器を備えてもよい。
【００１８】
このため、接続器の識別情報を蓄電池パックに送信できる。
【００１９】
また、第４態様の蓄電システムは、上記第３態様の蓄電システムにおいて、前記接続器、前記情報保持器及び前記第１送信器が前記蓄電池パックの接続ユニットとして一体化されていてもよい。
【００２０】
このため、接続器及び情報保持器を予め対応づけておくことができ、接続器に接続された蓄電池パックに情報保持器に保持されている識別情報を送信することができる。このように、接続器及び情報保持器が予め対応づけられているため、蓄電システムを組み立てたときに、接続器及び情報保持器の間の誤配線を抑制することができる。これにより、誤った識別情報を蓄電池パックに送信することを低減できる。
【００２１】
また、第５態様の蓄電システムは、上記第１態様−第４態様の蓄電システムのいずれか１つにおいて、前記情報保持器は、さらに、前記蓄電システムの識別情報を保持し、前記受信器は、前記蓄電池パックの識別情報と、前記蓄電システムの識別情報と、前記蓄電池パックが接続された前記接続器の識別情報とを前記蓄電池パックから無線通信で受信し、前記受信器で受信した前記蓄電システムの識別情報が、自身の識別情報と一致すると、前記記憶器に、前記蓄電池パックの識別情報と前記蓄電池パックが接続された前記接続器の識別情報とを記憶させる制御器を備えてもよい。
【００２２】
これによれば、制御器は、受信した、蓄電池パックの識別情報と、当該蓄電池パックが接続された接続器の識別情報とを用いて、当該蓄電池パックの識別情報と当該接続器の識別情報とを送信した蓄電池パックが、自装置に接続された蓄電池パックであるか否かを判定している。そして、制御器は、受信器で受信した蓄電システムの識別情報が、自身の識別情報と一致すると、記憶器に蓄電池パックの識別情報と蓄電池パックが接続された接続器の識別情報とを記憶させる。これにより、自装置に接続されていない蓄電池パックからの情報が記憶されることを低減できる。
【００２３】
また、第６態様の蓄電システムは、さらに、上記第５態様の蓄電システムにおいて、前記記憶器に記憶された、前記蓄電池パックの識別情報と、前記蓄電システムの識別情報と、前記蓄電池パックが接続された前記接続器の識別情報とをサーバ装置に送信する第２送信器を備えてもよい。
【００２４】
このため、サーバ装置に、接続器に接続された蓄電池パックから取得した情報を管理させることができる。
【００２５】
また、第７態様の蓄電方法は、複数の蓄電池パックのそれぞれと電気的に接続される複数の接続器を備える蓄電システムの蓄電方法であって、前記蓄電池パックの識別情報と、前記蓄電池パックが接続された前記接続器の識別情報とを前記蓄電池パックから無線通信で受信し、前記受信において受信された、前記蓄電池パックの識別情報と、前記蓄電池パックが接続された前記接続器の識別情報とを記憶する。
【００２６】
これによれば、蓄電池パックが複数の接続器のうちのどの接続器に接続された蓄電池パックであるか否かを判定することに利用できる。このため、蓄電システムが蓄電池パックから蓄電池パックが備える蓄電池の状態に関する状態情報を取得している場合には、当該状態情報がどの接続器に接続されている蓄電池パックから取得された情報であるかを特定できる。これにより、蓄電システムに接続されている蓄電池パックに対して、当該状態情報に応じた適切な対応を行うことができる。
【００２７】
なお、これらの全般的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムまたは記録媒体の任意な組み合わせで実現されてもよい。
【００２８】
以下、本開示の一態様に係る蓄電システムについて、図面を参照しながら具体的に説明する。
【００２９】
なお、以下で説明する実施の形態は、いずれも本発明の一具体例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００３０】
（実施の形態）
以下、図１〜図７を用いて、実施の形態を説明する。
【００３１】
［１．構成］
まず、図１を用いて、本開示の実施の形態における蓄電システムを備える管理システムの構成の概要について説明する。図１は、実施の形態に係る蓄電システムを備える管理システムの構成を示す概略図である。
【００３２】
図１に示すように、実施の形態に係る管理システム１は、それぞれが複数の蓄電池パック２００を備える複数の蓄電システム１００と、通信装置３００と、サーバ装置４００とを備える。
【００３３】
複数の蓄電システム１００は、互いに接続されており、図示しない負荷に電力を供給する。複数の蓄電システム１００は、直列に接続されていてもよいし、並列に接続されていてもよい。また、複数の蓄電システム１００は、それぞれが備える複数の蓄電池パック２００から取得した情報を通信装置３００に送信する。
【００３４】
通信装置３００は、インターネットを介してサーバ装置４００に接続されている。具体的には、通信装置３００は、有線通信によってインターネットに接続し、サーバ装置４００と通信する。なお、通信装置３００は、無線通信によってインターネットに接続し、サーバ装置４００と通信してもよい。通信装置３００は、インターネットを介してサーバ装置４００と通信するためのゲートウェイである。
【００３５】
サーバ装置４００は、複数の蓄電システム１００から情報を受信し、受信した情報を管理する。具体的には、サーバ装置４００は、複数の蓄電システム１００のそれぞれについて、当該蓄電システム１００を識別するための識別情報と当該蓄電システム１００から受信した情報とを対応付けて記憶する。サーバ装置４００は、例えば、プロセッサと、プログラムを記憶しているメモリと、データを記憶するハードディスクドライブなどの記憶装置とにより実現される。
【００３６】
なお、サーバ装置４００は、１台の装置から構成されるものだけでなく、複数台の装置から構成されてもよい。また、サーバ装置４００は、インターネットなどのネットワークを通じてソフトウェア、データなどを提供するクラウドコンピューティングを実現する装置の少なくとも一部であってもよい。
【００３７】
［１−１．蓄電システム及び蓄電池パック］
次に、蓄電システム１００の外観の構成について、図２〜図４を用いて説明する。
【００３８】
図２は、実施の形態に係る蓄電池パックを接続した状態の蓄電システムの外観斜視図である。図３は、実施の形態に係る蓄電池パックを取り外した状態の蓄電システムの外観斜視図である。図４は、実施の形態に係る蓄電池パックの外観斜視図である。
【００３９】
図２及び図３に示すように、蓄電システム１００は、外装体本体１０２と扉１０３とから構成される外装体１０１を備え、外装体１０１の内部の空間Ｓ１に複数の蓄電池パック２００を収容できるように構成されている。また、蓄電システム１００は、複数の蓄電池パック２００のそれぞれの接続器２５０と接続する複数の接続ユニット１２０を備える。また、蓄電システム１００は、複数の蓄電池パック２００を内部の空間Ｓ１の所定の位置に固定するための固定部１０４を備える。
【００４０】
図４に示すように、複数の蓄電池パック２００のそれぞれは、固定部１０４のネジ穴１０５に固定される被固定部２０１を備える。複数の蓄電池パック２００のそれぞれは、被固定部２０１に設けられた貫通孔２０２をネジによって貫通された状態で、固定部１０４のネジ穴１０５に締結されることで、固定部１０４に固定される。
【００４１】
なお、複数の蓄電池パック２００は、外装体１０１の空間Ｓ１の所定の位置に配置されれば、外装体１０１の固定部１０４に固定されていなくてもよい。また、複数の蓄電池パック２００は、ネジによって固定されていなくてもよく、他の締結手段により固定されていてもよい。
【００４２】
次に、蓄電システム１００及び蓄電池パック２００の機能的な構成について、図５を用いて説明する。
【００４３】
図５は、実施の形態に係る蓄電システム及び蓄電池パックの機能的な構成を示すブロック図である。
【００４４】
［１−１−１．蓄電システム］
まず、蓄電システム１００の機能的な構成について説明する。
【００４５】
図５に示すように、蓄電システム１００は、機能的には、電源器１１０と、複数の接続ユニット１２０と、通信器１３０と、制御器１４０と、記憶器１５０とを備える。
【００４６】
電源器１１０は、複数の接続ユニット１２０に電気的に接続されている複数の蓄電池パック２００からの電力を、放電するための電力に変換する放電器として機能する。つまり、電源器１１０は、接続ユニット１２０に接続されている蓄電池パック２００の電力を、接続ユニット１２０を介して放電させる。電源器１１０は、例えば、適切な電圧の直流電力、または、適切な周波数及び電圧の交流電力に変換する。そして、電源器１１０は、変換した電力を電源器１１０に出力する放電回路を含む。
【００４７】
また、電源器１１０は、系統や発電装置などの外部電源から受電した電力を複数の接続ユニット１２０に接続されている複数の蓄電池パック２００を充電するための電力に変換する充電器として機能する。つまり、電源器１１０は、接続ユニット１２０に接続されている蓄電池パック２００を、接続ユニット１２０を介して充電させる。電源器１１０は、例えば、交流電力を充電に適切な電圧の直流電力に変換する。そして、電源器１１０は、変換した電力を複数の接続ユニット１２０に電気的に接続されている複数の蓄電池パック２００に出力する充電回路を含む。本例では、電源器１１０は、放電器及び充電器の機能を共に備えているが、これに限定されるものではない。電源器１１０は、放電器及び充電器の機能の少なくともいずれか一方を備えていればよい。
【００４８】
電源器１１０は、例えば、ＡＣ／ＤＣコンバータ及びＤＣ／ＡＣインバータなどにより実現される。
【００４９】
複数の接続ユニット１２０のそれぞれは、接続されている蓄電池パック２００との間で電力の送受電と、情報の通信とを行なう。複数の接続ユニット１２０のそれぞれは、接続器１２１と、情報保持器１２２と、第１送信器１２３とを備える。複数の接続ユニット１２０のそれぞれは、接続器１２１、情報保持器１２２及び第１送信器１２３が一体化されることで構成されている。
【００５０】
接続器１２１は、複数の蓄電池パック２００のそれぞれと電気的に接続される。接続器１２１は、電源器１１０と当該接続器１２１に接続されている蓄電池パック２００との間で電力を送受電するための接続端子を備える。また、接続器１２１は、当該接続器１２１に接続されている蓄電池パック２００に、当該接続器１２１の識別情報（以下、「スロットＩＤ」という。）を送信するための接続端子を備える。つまり、接続器１２１は、例えば、蓄電池パック２００との間で、電力の送受電及び情報の通信を行なうためのコネクタにより実現される。
【００５１】
情報保持器１２２は、当該接続器１２１のスロットＩＤを保持する。また、情報保持器１２２は、さらに、蓄電システム１００の識別情報（以下、「システムＩＤ」という。）を保持していてもよい。情報保持器１２２は、例えば、不揮発性のメモリなどにより実現される。
【００５２】
第１送信器１２３は、接続器１２１及び情報保持器１２２と電気的に接続されており、当該情報保持器１２２により保持されている当該接続器１２１のスロットＩＤを、当該接続器１２１に接続されている蓄電池パック２００に送信する。蓄電池パック２００は、第１送信器１２３から送信された接続器１２１のスロットＩＤを受信（取得）する。第１送信器１２３は、例えば、マイクロプロセッサなどにより実現される。
【００５３】
通信器１３０は、蓄電池パック２００との間で情報の通信を行なう。また、通信器１３０は、外部の通信装置３００との間で情報の通信を行なう。具体的には、通信器１３０は、受信器１３１と、第２送信器１３２とを備える。
【００５４】
受信器１３１は、複数の接続ユニット１２０に接続されている蓄電池パック２００の識別情報（以下、「電池ＩＤ」という。）と、当該蓄電池パック２００が接続された接続器１２１のスロットＩＤとを当該蓄電池パック２００から無線通信で受信する。また、受信器１３１は、電池ＩＤと、当該蓄電池パック２００が接続された蓄電システム１００のシステムＩＤと、当該蓄電池パック２００が接続された接続器１２１のスロットＩＤとを当該蓄電池パック２００から無線通信で受信する。具体的には、受信器１３１は、電池ＩＤと、システムＩＤと、スロットＩＤとが対応づけられた対応付け情報を受信する。
【００５５】
第２送信器１３２は、記憶器１５０に記憶された対応付け情報を、通信装置３００を介してサーバ装置４００に送信する。
【００５６】
通信器１３０は、例えば、通信装置３００または蓄電池パック２００との間でＷｉ−Ｆｉ（登録商標）、Ｂｌｕｅｔｏｏｔｈ（登録商標）などの無線通信を行なう通信モジュールで実現されてもよいし、通信装置３００との間で有線接続するためのＬＡＮ  Ｉ／Ｆで実現されてもよい。要するに、通信器１３０は、通信装置３００との間で通信するための機器と、蓄電池パック２００との間で通信するための機器とに分かれていてもよいし、一体化されたものであってもよい。
【００５７】
制御器１４０は、受信器１３１で受信した蓄電システム１００のシステムＩＤが、自身（つまり当該制御器１４０を備える蓄電システム１００）のシステムＩＤと一致すると、記憶器１５０に蓄電池パック２００の電池ＩＤと蓄電池パック２００が接続された接続器１２１のスロットＩＤとを記憶させる。制御器１４０は、例えば、プロセッサ、プログラムを記憶しているメモリなどにより実現される。
【００５８】
記憶器１５０は、受信器１３１により受信された、蓄電池パック２００の電池ＩＤと、蓄電池パック２００が接続された接続器１２１のスロットＩＤとを記憶する。また、記憶器１５０は、蓄電システム１００のシステムＩＤを予め記憶していてもよい。記憶器１５０は、例えば、ハードディスクや不揮発性のメモリなどの記憶装置により実現される。なお、記憶器１５０は、ＲＡＭ（Ｒａｎｄｏｍ  Ａｃｃｅｓｓ  Ｍｅｍｏｒｙ）などの揮発性のメモリで実現してもよいし、プロセッサに含まれるキャッシュメモリで実現してもよい。
【００５９】
［１−１−２．蓄電池パック］
次に、蓄電池パック２００の機能的な構成について説明する。
【００６０】
図５に示すように、蓄電池パック２００は、機能的には、蓄電池２１０と、制御器２２０と、無線通信器２３０と、記憶器２４０と、接続器２５０とを備える。
【００６１】
蓄電池２１０は、複数の単電池が並列及び直列に接続されることで構成されている。複数の単電池は、例えば、リチウムイオン二次電池である。
【００６２】
制御器２２０は、接続器２５０を介して蓄電池２１０から、接続器２５０に接続されている蓄電システム１００への放電と、接続器２５０を介して蓄電システム１００から蓄電池２１０への充電とを制御する。また、制御器２２０は、蓄電池２１０の状態に関する情報（以下、「状態情報」という。）を取得する。具体的には、制御器２２０は、蓄電池２１０の状態情報として、蓄電池２１０の、電圧値、電流値、ＳＯＣ、充放電サイクル数、内部抵抗値、電池電圧差、異常状態などを取得する。
【００６３】
また、制御器２２０は、記憶器２４０に記憶されている当該蓄電池パック２００の電池ＩＤと、接続器２５０を介して取得した、当該接続器２５０に電気的に接続されている接続器１２１のスロットＩＤ及び蓄電システム１００のシステムＩＤとを対応づけることで対応付け情報を生成する。また、制御器２２０は、当該対応付け情報に、さらに、蓄電池２１０の状態情報を対応づけてもよい。制御器２２０は、生成した対応付け情報や蓄電池２１０の状態情報を無線通信器２３０に送信させる。
【００６４】
無線通信器２３０は、蓄電システム１００の通信器１３０との間で無線通信を行なう。具体的には、無線通信器２３０は、互いに対応づけられた、接続器２５０を介して取得した接続ユニット１２０のスロットＩＤ及びシステムＩＤと、記憶器２４０に記憶されている蓄電池パック２００の電池ＩＤとを含む対応付け情報を、通信装置３００を介してサーバ装置４００に送信する。また、無線通信器２３０は、当該対応付け情報とさらに対応づけられた、蓄電池２１０の状態情報を、通信装置３００を介してサーバ装置４００に送信してもよい。無線通信器２３０は、例えば、Ｗｉ−Ｆｉ（登録商標）、Ｂｌｕｅｔｏｏｔｈ（登録商標）などの無線通信を行なう通信モジュールで実現される。
【００６５】
記憶器２４０は、蓄電池パック２００の電池ＩＤを記憶している。また、記憶器２４０は、制御器２２０により取得された蓄電池２１０の状態情報を記憶している。記憶器２４０は、例えば、ハードディスクドライブや、不揮発性のメモリなどにより実現される。
【００６６】
接続器２５０は、蓄電システム１００の接続器１２１に対応しており、当該接続器１２１の各接続端子と電気的に接続される。接続器２５０は、蓄電システム１００との間で電力を送受信するための接続端子と、蓄電システム１００の接続器１２１から当該接続器１２１のスロットＩＤを受信するための接続端子とを備える。つまり、接続器２５０は、例えば、蓄電システム１００との間で、電力の送受電及び情報の通信を行なうためのコネクタにより実現される。
【００６７】
［２．動作］
以上のように構成された蓄電システム１００と蓄電池パック２００との動作について、図６を用いて以下に説明する。
【００６８】
図６は、実施の形態に係る蓄電システム及び蓄電池パックの動作を説明するためのフローチャートである。
【００６９】
まず、蓄電池パック２００の動作について説明する。蓄電池パック２００の動作は、蓄電池パック２００が蓄電システム１００の接続ユニット１２０に接続されることにより開始される。
【００７０】
まず、蓄電池パック２００の制御器２２０は、接続器２５０を介して、当該蓄電池パック２００が接続された蓄電システム１００のシステムＩＤと、当該接続ユニット１２０の接続器１２１のスロットＩＤとを取得する（Ｓ１０１）。
【００７１】
次に、制御器２２０は、取得した、システムＩＤ、スロットＩＤ及び電池ＩＤを対応付けることにより、対応付け情報を生成する（Ｓ１０２）。
【００７２】
次に、制御器２２０は、無線通信器２３０を用いて、要求コマンドを蓄電システム１００に送信する（Ｓ１０３）。なお、要求コマンドは、対応付け情報を含む。
【００７３】
そして、制御器２２０は、要求コマンドに対する蓄電システム１００からのレスポンスの受信を待機する（Ｓ１０４）。
【００７４】
制御器２２０は、レスポンスを蓄電システム１００から受信したか否かを判定する（Ｓ１０５）。
【００７５】
制御器２２０は、レスポンスを蓄電システム１００から受信したと判定すると（Ｓ１０５でＹｅｓ）、受信したレスポンスに含まれる電池ＩＤが記憶器２４０に記憶されている電池ＩＤと一致するか否かを判定し（Ｓ１０６）、一致していれば（Ｓ１０６でＹｅｓ）蓄電池パック２００の動作を終了する。
【００７６】
一方で、制御器２２０は、レスポンスを受信していない（Ｓ１０５でＮｏ）、または、レスポンスに含まれる電池ＩＤと、記憶器２４０に記憶されている電池ＩＤが一致していない（Ｓ１０６でＮｏ）と判定すると、ステップＳ１０３に戻り処理を繰り返す。
【００７７】
次に、蓄電システム１００の動作について説明する。蓄電システム１００の動作は、蓄電池パック２００から要求コマンドを受信することにより開始される。
【００７８】
まず、蓄電システム１００の受信器１３１は、蓄電池パック２００から要求コマンドを受信する（Ｓ２０１）。
【００７９】
次に、蓄電システム１００の制御器１４０は、受信した要求コマンドに含まれる対応付け情報で対応づけられたシステムＩＤが、記憶器１５０に記憶されているシステムＩＤと一致するか否かを判定する（Ｓ２０２）。
【００８０】
制御器１４０は、受信した要求コマンドに含まれる対応付け情報で対応づけられたシステムＩＤが、記憶器１５０に記憶されているシステムＩＤと一致すると判定すると（Ｓ２０２でＹｅｓ）、当該要求コマンドに対するレスポンスを蓄電池パック２００に送信する（Ｓ２０３）。なお、レスポンスは、受信した要求コマンドに含まれる対応付け情報で対応づけられた電池ＩＤを少なくとも含む。
【００８１】
そして、制御器１４０は、受信した対応付け情報を、通信器１３０を用いて、サーバ装置４００へ送信する（Ｓ２０４）。
【００８２】
一方で、制御器１４０は、受信した要求コマンドに含まれる対応付け情報で対応づけられたシステムＩＤが、記憶器１５０に記憶されているシステムＩＤと一致しないと判定すると（Ｓ２０２でＮｏ）、蓄電システム１００の動作を終了する。
【００８３】
なお、上記のように蓄電池パック２００と接続器１２１及び蓄電システム１００との対応付けが完了した場合、その後に蓄電池パック２００の制御器２２０で取得された状態情報は、当該蓄電池パック２００の電池ＩＤと対応づけられた、接続器１２１のスロットＩＤ及び蓄電システム１００のシステムＩＤと対応づけられることで管理される。具体的には、状態情報は、蓄電システム１００の記憶器１５０で管理されてもよいし、サーバ装置４００に送信されてサーバ装置４００において管理されてもよい。
【００８４】
ここで、図７を用いて具体的に説明する。
【００８５】
図７は、実施の形態に係る蓄電システム及び蓄電池パックの間の情報の送受信の一例を説明するための図である。
【００８６】
図７に示すように蓄電池パック２００Ａは、想定している組み合わせのシステムの蓄電システム１００Ａと、隣接するシステムの蓄電システム１００Ｂとの両方の蓄電システムと無線通信可能な状況にある。蓄電池パック２００Ａは、蓄電システム１００Ａの接続器のうちでスロットＩＤが「ＳｌｏｔＩＤ：０２」の接続器と接続されているとする。当該蓄電池パック２００Ａは、スロットＩＤ「ＳｌｏｔＩＤ：０２」及び蓄電システム１００ＡのシステムＩＤ「ＳｙｓＩＤ：ｙｙｙｙｙ１」を取得し、当該蓄電池パック２００Ａの電池ＩＤ「ＢａｔＩＤ：ｘｘｘｘｘ０」とともに蓄電システム１００Ａ及び蓄電システム１００ＢにスロットＩＤ及び電池ＩＤを送信する。
【００８７】
蓄電システム１００Ａ及び蓄電システム１００Ｂは、スロットＩＤ「ＳｌｏｔＩＤ：０２」、システムＩＤ「ＳｙｓＩＤ：ｙｙｙｙｙ１」及び電池ＩＤ「ＢａｔＩＤ：ｘｘｘｘｘ０」を取得し、システムＩＤが自装置のシステムＩＤと一致するか否かを判定する。このとき、蓄電システム１００Ａでは、取得したシステムＩＤ「ＳｙｓＩＤ：ｙｙｙｙｙ１」と一致するため、これらのＩＤを送信してきた蓄電池パック２００Ａが自装置に接続されている蓄電池パックであると判定できる。また、蓄電システム１００Ａは、スロットＩＤ「ＳｌｏｔＩＤ：０２」も同時に取得しているため、当該蓄電池パック２００Ａがどの接続器に接続されている蓄電池パックであるかも特定できる。
【００８８】
一方で、蓄電システム１００Ｂでは、取得したシステムＩＤ「ＳｙｓＩＤ：ｙｙｙｙｙ１」と一致しないため、これらのＩＤを送信してきた蓄電池パック２００Ａが自装置に接続されていない蓄電池パックであると判定できる。
【００８９】
［３．効果等］
以上のように、本実施の形態に係る蓄電システム１００は、複数の接続器１２１のそれぞれについて、当該接続器１２１の識別情報を保持する情報保持器１２２が設けられており、蓄電池パック２００が接続された接続器１２１の識別情報を取得できるように構成されている。つまり、受信器１３１は、蓄電池パック２００から、当該蓄電池パック２００の識別情報と、当該蓄電池パック２００が接続された接続器１２１の識別情報とを無線通信で受信する。記憶器１５０は、当該蓄電池パック２００の識別情報と、当該蓄電池パック２００が接続された接続器１２１の識別情報とを対応付けて記憶する。
【００９０】
これにより、これらの情報を送信した蓄電池パック２００が自装置の複数の接続器１２１のうちのどの接続器１２１に接続された蓄電池パック２００であるかを特定することができる。このため、例えば、蓄電システム１００が蓄電池パック２００から電池情報として、当該蓄電池パック２００が備える蓄電池２１０の状態に関する状態情報を取得している場合には、当該状態情報がどの接続器１２１に接続されている蓄電池パック２００から取得された情報であるかを特定できる。これにより、蓄電システム１００に接続されている蓄電池パック２００に対して、当該状態情報に応じた適切な対応を行うことができる。
【００９１】
また、制御器１４０は、受信した、蓄電池パック２００の識別情報と、当該蓄電池パック２００が接続された接続器１２１の識別情報と、蓄電システム１００の識別情報とを用いて、当該蓄電池パック２００の識別情報と当該接続器１２１の識別情報とを送信した蓄電池パック２００が、自装置に接続された蓄電池パック２００であるか否かを判定している。そして、制御器１４０は、受信器１３１で受信した蓄電システム１００の識別情報が、自身の識別情報と一致すると、記憶器１５０に蓄電池パック２００の識別情報と蓄電池パック２００が接続された接続器１２１の識別情報とを記憶させる。これにより、自装置に接続されていない蓄電池パック２００からの情報を記憶することを低減できる。
【００９２】
また、蓄電システム１００は、さらに、接続器１２１の識別情報を蓄電池パック２００に送信する送信器を備えるため、接続器１２１の識別情報を蓄電池パック２００に送信できる。
【００９３】
また、接続器１２１、情報保持器１２２及び第１送信器１２３が蓄電池パック２００の接続ユニット１２０として一体化されている。このため、接続器１２１及び情報保持器１２２を予め対応づけておくことができ、接続器１２１に接続された蓄電池パック２００に情報保持器１２２に保持されている識別情報を送信することができる。このように、接続器１２１及び情報保持器１２２が予め対応づけられているため、蓄電システム１００を組み立てたときに、接続器１２１及び情報保持器１２２の間の誤配線を抑制することができる。これにより、誤った識別情報を蓄電池パック２００に送信することを低減できる。
【００９４】
（他の実施の形態）
以上のように、本出願において開示する技術の例示として、実施の形態を説明した。しかしながら、本開示における技術は、これに限定されず、適宜、変更、置き換え、付加、省略などを行った実施の形態にも適用可能である。また、上記実施の形態で説明した各構成要素を組み合わせて、新たな実施の形態とすることも可能である。
【００９５】
そこで、以下では、他の実施の形態を例示する。
【００９６】
例えば、上記実施の形態では、接続ユニット１２０として接続器１２１、情報保持器１２２及び第１送信器１２３が一体化される構成であるとしたが、これに限らずに、接続器１２１、情報保持器１２２及び第１送信器１２３が別々の構成であってもよい。また、第１送信器１２３は、必ずしもなくてもよく、接続器１２１に接続された蓄電池パック２００が情報保持器１２２に保持されている識別情報を取得できる構成であればよい。
【００９７】
また、上記実施の形態では、蓄電システム１００の制御器１４０が、受信器１３１で受信した蓄電システム１００の識別情報が自身の識別情報と一致するか否かを判定しているが、当該判定を制御器１４０が行なわなくてもよい。例えば、受信器１３１で受信した蓄電システム１００の識別情報と、自身の識別情報とを例えばサーバ装置４００などの外部機器に送信し、外部機器が当該判定を行なうようにしてもよい。そして、２つの識別情報が一致すると、外部機器の記憶器又は蓄電システム１００の記憶器１５０に蓄電池パックの識別情報と接続器の識別情報とを記憶させるようにしてもよい。
【００９８】
また、上記実施の形態では、蓄電池パック２００の制御器２２０がシステムＩＤ、スロットＩＤ及び電池ＩＤを対応づけているが、対応づけせずに、システムＩＤ、スロットＩＤ及び電池ＩＤを蓄電システム１００に送信してもよい。蓄電システム１００の制御器１４０は、対応付けされていないシステムＩＤ、スロットＩＤ及び電池ＩＤを受信したときに、これらのシステムＩＤ、スロットＩＤ及び電池ＩＤを対応付けしてもよい。例えば、制御器１４０は、同じタイミング（所定期間内）でこれらのシステムＩＤ、スロットＩＤ及び電池ＩＤを受信したときに、システムＩＤ、スロットＩＤ及び電池ＩＤを対応付けする。また、さらに、蓄電システム１００がこれらのシステムＩＤ、スロットＩＤ及び電池ＩＤをサーバ装置４００に送信し、サーバ装置４００が受信したシステムＩＤ、スロットＩＤ及び電池ＩＤの対応付けを行なってもよい。
【００９９】
また、上記実施の形態では、蓄電システム１００は、システムＩＤ、スロットＩＤ及び電池ＩＤが対応づけられた対応付け情報を取得しているが、電池ＩＤの代わりに蓄電池パック２００の状態情報が対応づけられた対応付け情報を取得してもよい。この場合、蓄電システム１００は、スロットＩＤと対応付けられた状態情報を取得できるため、この場合であっても、状態情報に応じた適切な対応を蓄電池パック２００に行うことができる。
【０１００】
また、上記実施の形態では、情報保持器１２２は、予め定められた抵抗値の抵抗素子を備えてもよい。このとき、情報保持器１２２は、抵抗素子の抵抗値を識別情報として保持していることになる。抵抗素子の抵抗値は、例えば、定電流や定電圧を当該抵抗素子にかけた場合に得られる電圧値や分圧値によって計測される。具体的には、複数の接続器１２１は、互いに異なる抵抗値の抵抗素子を有しており、蓄電池パック２００は、接続器１２１に接続されたときに接続器１２１に接続されている抵抗素子に、定電流の電流を流したり定電圧をかけたりすることで、得られた電圧値や分圧値、または、得られた電圧値や分圧値及び定電流や定電圧により算出された抵抗値を識別情報として取得してもよい。このとき、蓄電システム１００は、図１に示す、第１送信器１２３を備えなくてもよい。なお、抵抗素子は、ディップスイッチなどを切り替えることにより、複数の抵抗素子の接続状態が切り替えられるようにすることで、抵抗値が変化するように構成されていてもよい。
【０１０１】
また、上記実施の形態では、特に言及していないが、蓄電システム及び蓄電池パックは表示器をさらに備えていてもよい。例えば、蓄電システムでは、表示器は、ステップＳ２０４のサーバ装置４００に情報を送信したとき、又は、レスポンスを蓄電池パック２００に送信したときに当該送信に係る動作が完了したことを示す表示を行なう。また、例えば、蓄電池パックでは、表示器は、ステップＳ１０６の電池ＩＤが一致したと判定したときに電池ＩＤが一致したことを示す表示を行なってもよい。具体的には、表示器は、例えば、ＬＥＤなどの発光素子により実現され、点灯することにより上記の完了したことを示す表示、及び、一致したことを示す表示を行なう。
【０１０２】
また、上記実施の形態では、情報保持器１２２が保持している識別情報は、有線通信で、蓄電池パック２００に送信されるとしたが、これに限らずに、例えば、ＮＦＣ（Ｎｅａｒ  Ｆｉｅｌｄ  Ｃｏｍｍｕｎｉｃａｔｉｏｎ）を用いた無線通信で送信してもよい。なお、この場合、情報保持器１２２から対応する接続器１２１に接続されている蓄電池パック２００のみに確実に識別情報が送信されるように、隣接する蓄電池パック２００には送信不可能なくらいの近接無線通信であることが望ましい。
【０１０３】
なお、上記実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。ここで、上記各実施の形態の蓄電システム、蓄電方法などを実現するソフトウェアは、次のようなプログラムである。
【０１０４】
すなわち、このプログラムは、コンピュータに、複数の蓄電池パックのそれぞれと電気的に接続される複数の接続器を備える蓄電システムにおいて実行されるプログラムであって、前記蓄電池パックの識別情報と、前記蓄電池パックが接続された前記接続器の識別情報とを前記蓄電池パックから無線通信で受信する処理と、前記受信において受信された、前記蓄電池パックの識別情報と、前記蓄電池パックが接続された前記接続器の識別情報とを記憶させる処理とを実行させる。
【０１０５】
以上、本発明の一つまたは複数の態様に係る蓄電システム及び蓄電方法について、実施の形態に基づいて説明したが、本発明は、この実施の形態に限定されるものではない。本発明の趣旨を逸脱しない限り、当業者が思いつく各種変形を本実施の形態に施したものや、異なる実施の形態における構成要素を組み合わせて構築される形態も、本発明の一つまたは複数の態様の範囲内に含まれてもよい。
【産業上の利用可能性】
【０１０６】
本開示は、蓄電池パックと蓄電池パックが接続された接続器との対応関係を特定できる蓄電システムなどとして有用である。
【符号の説明】
【０１０７】
１    管理システム
１００、１００Ａ、１００Ｂ    蓄電システム
１１０    電源器
１２０    接続ユニット
１２１    接続器
１２２    情報保持器
１２３    第１送信器
１３０    通信器
１３１    受信器
１３２    第２送信器
１４０    制御器
１５０    記憶器
２００、２００Ａ    蓄電池パック
２１０    蓄電池
２２０    制御器
２３０    無線通信器
２４０    記憶器
２５０    接続器
３００    通信装置
４００    サーバ装置
【図１】
0006796766.tif 000002
【図２】
0006796766.tif 000003
【図３】
0006796766.tif 000004
【図４】
0006796766.tif 000005
【図５】
0006796766.tif 000006
【図６】
0006796766.tif 000007
【図７】
0006796766.tif 000008